(57)【要約】【課題】  手で把持したときの当たりが柔らかく、長時間あるいは長期に使用しても手のひらや手指が痛くならず、また発汗による滑りを防止できる身体障害者用ハンドル旋回装置のグリップを提供する。【解決手段】  自動車のハンドル１１に取り付けられたグリップホルダー２０のグリップ取付穴２１に嵌合する身体障害者用ハンドル旋回装置のグリップ１であって、前記グリップ取付穴２１に嵌入する金属製シャフト２と、該金属製シャフト２に一体的に設けられた樹脂製グリップ本体部と、該樹脂製グリップ本体部を覆う皮革製カバー６とを備えた構成である。【選択図】        図１
0003104162.tif 000002
【実用新案登録請求の範囲】
【請求項１】
自動車のハンドルに取り付けられたグリップホルダーのグリップ取付穴に嵌合する身体障害者用ハンドル旋回装置のグリップであって、
前記グリップ取付穴に嵌入する金属製シャフトと、該金属製シャフトに一体的に設けられた樹脂製グリップ本体部と、該樹脂製グリップ本体部を覆う皮革製カバーとを備えたことを特徴とする身体障害者用ハンドル旋回装置のグリップ。
【請求項２】
前記皮革製カバーは少なくとも第１のカバー部と第２のカバー部とを有し、それらを縫い合わせた構成である請求項１記載の身体障害者用ハンドル旋回装置のグリップ。
【請求項３】
各カバー部の縁部端面同士は、相互に突き合わせた状態で糸で縫い合わされており、当該糸は一方のカバー部を厚み方向に貫通した後、両カバー部の縁部端面の突き合わせ部分を上から下に又は下から上に通って他方のカバー部を厚み方向に貫通している請求項２記載の身体障害者用ハンドル旋回装置のグリップ。
【請求項４】
前記グリップ本体部は扁平球状であり、前記第１のカバー部は、前記グリップ本体部の上面と、下縁に至る側面の一部とを有する領域を覆い、前記第２のカバー部は前記グリップ本体部の残りの領域を覆うものである請求項２又は３記載の身体障害者用ハンドル旋回装置のグリップ。
【請求項５】
前記第１のカバー部と前記第２のカバー部との縫い目は、滑り止めを兼ねて扁平球状の前記グリップ本体部の側面部の半周以上にわたって形成されている請求項２，３又は４記載の身体障害者用ハンドル旋回装置のグリップ。
【考案の詳細な説明】
【技術分野】
【０００１】
本考案は、身体障害者が自動車を運転する場合に用いるハンドル旋回装置のグリップに係り、とくに滑り止め等のための皮革製カバーを備えるグリップ構造に関する。
【背景技術】
【０００２】
一般に自動車のアクセル操作及びブレーキ操作は右足で行なうようになっているから、下肢が不自由な身体障害者はそのままではブレーキ及びアクセル操作共に不可能である。このため、アクセル操作及びブレーキ操作を手動（片手）で行い得るように従来より種々の身体障害者用自動車運転装置が提案されている。また、残りの片手でハンドルを旋回させ得るようにハンドル旋回装置が必要となる。
【０００３】
公知文献としては、例えば、本出願人が下記特許文献１や特許文献２で提案した身体障害者用自動車運転装置やハンドル旋回装置がある。
【０００４】
【特許文献１】実公昭５９−３６５１８号公報
【特許文献２】特開２０００−７２０００号公報
【０００５】
身体障害者用自動車運転装置でブレーキ操作及びアクセル操作を行なう場合、どちらか一方の手で操作しなければならず、ハンドル操作は他方の手だけで行なわなければならない。このため、ハンドル（ステアリング）の右側には旋回用のグリップが取り付けられており、右手で該グリップを握りハンドルを回動させることでハンドル操作を行なうことができる。
【０００６】
また、片手不自由者の場合にも同様にハンドルに旋回用のグリップを取り付けて、片手でハンドル操作を行えるようにしている。但し、ブレーキ、アクセル操作は通常通り右足で行えばよい。
【０００７】
前記ハンドル操作のための旋回用のグリップは、健常者が通常のハンドル操作を行なう場合に、ハンドルに装着されたままだと服の袖口に引っ掛かる等のハンドル操作の妨げになる可能性があり、グリップは着脱式構造になってきている。
【０００８】
ところで、従来のグリップは、運転者が握る部分が球状の硬質樹脂製であり、運転が長時間あるいは長期にわたるとグリップを把持している手のひら、手指が痛くなり、把持し続けるのが苦痛になる問題があり、また手のひらの発汗により滑り易くなる問題があった。このため、運転者によってはグリップの上にガーゼ等の布を巻いて使用すること等が行われているが、布がグリップに対してずれたり、不意に外れたりする危険があり、安全性の面で問題である。
【考案の開示】
【考案が解決しようとする課題】
【０００９】
本考案は、上記の点に鑑み、手で把持したときの当たりが柔らかく、長時間あるいは長期に使用しても手のひらや手指が痛くならず、また発汗による滑りを防止できる身体障害者用ハンドル旋回装置のグリップを提供することを目的とする。
【００１０】
本考案のその他の目的や新規な特徴は後述の実施の形態において明らかにする。
【課題を解決するための手段】
【００１１】
上記目的を達成するために、本願請求項１の考案は、自動車のハンドルに取り付けられたグリップホルダーのグリップ取付穴に嵌合する身体障害者用ハンドル旋回装置のグリップであって、
前記グリップ取付穴に嵌入する金属製シャフトと、該金属製シャフトに一体的に設けられた樹脂製グリップ本体部と、該樹脂製グリップ本体部を覆う皮革製カバーとを備えたことを特徴としている。
【００１２】
本願請求項２の考案に係る身体障害者用ハンドル旋回装置のグリップは、請求項１において、前記皮革製カバーは少なくとも第１のカバー部と第２のカバー部とを有し、それらを縫い合わせた構成であることを特徴としている。
【００１３】
本願請求項３の考案に係る身体障害者用ハンドル旋回装置のグリップは、請求項２において、各カバー部の縁部端面同士は、相互に突き合わせた状態で糸で縫い合わされており、当該糸は一方のカバー部を厚み方向に貫通した後、両カバー部の縁部端面の突き合わせ部分を上から下に又は下から上に通って他方のカバー部を厚み方向に貫通していることを特徴としている。
【００１４】
本願請求項４の考案に係る身体障害者用ハンドル旋回装置のグリップは、請求項２又は３において、前記グリップ本体部は扁平球状であり、前記第１のカバー部は、前記グリップ本体部の上面と、下縁に至る側面の一部とを有する領域を覆い、前記第２のカバー部は前記グリップ本体部の残りの領域を覆うことを特徴としている。
【００１５】
本願請求項５の考案に係る身体障害者用ハンドル旋回装置のグリップは、請求項２，３又は４において、前記第１のカバー部と前記第２のカバー部との縫い目は滑り止めを兼ねて扁平球状の前記グリップ本体部の側面部の半周以上にわたって形成されていることを特徴としている。
【考案の効果】
【００１６】
本考案に係る身体障害者用ハンドル旋回装置のグリップによれば、自動車のハンドルに取り付けられたグリップホルダーのグリップ取付穴に嵌入する金属製シャフトと、該金属製シャフトに一体に形成された樹脂製グリップ本体部と、該樹脂製グリップ本体部を覆う皮革製カバーとを備えており、樹脂製グリップ本体部が皮革製カバーで覆われることにより、手で把持したときの当たりを柔らかくすることが可能で、長時間あるいは長期に使用しても手のひらや手指が痛くならないようにできる。また、また発汗による滑りを防止でき、安全性の向上を図ることができる。
【考案を実施するための最良の形態】
【００１７】
以下、本考案を実施するための最良の形態として、身体障害者用ハンドル旋回装置のグリップの実施の形態を図面に従って説明する。
【００１８】
図１乃至図３において、１は身体障害者用ハンドル旋回装置のグリップであり、自動車のハンドル１１に固定される樹脂製のグリップホルダー２０に対して着脱自在な構成となっている。前記グリップ１はグリップホルダー２０に装着してハンドル旋回操作に用いられる。健常者運転の際は不要であるため、取り外すことができる。５０は前記グリップホルダー２０に対して着脱自在なスイッチユニットである。
【００１９】
前記グリップホルダー２０には、円形状に貫通させたグリップ取付穴２１が設けられるとともに、図２のように、グリップ１を係止するためのグリップ係止手段２２が設けられている。グリップ係止手段２２は、グリップホルダー２０内を移動してグリップ取付穴２１内面より突出自在な係止部２３と、係止部２３に一体化される操作部としての押しボタン２４とを具備している。図２において、押しボタン２４はグリップホルダー２０の内周側の面より突出する向きにばね２５で付勢されており、押しボタン２４の突出時には係止部２３は一部がグリップ取付穴２１内面より突出した状態（係止状態）となり、押しボタン２４を押圧したときには係止部２３が右方向に移動してグリップ取付穴２１内面より引っ込むようになっている。
【００２０】
前記グリップホルダー２０は、自動車のハンドル１１の内周と接するように湾曲しており、金属製の固定バンド３０でハンドル１１に取り付け、固定される。
【００２１】
前記スイッチユニット５０は、樹脂等で形成されたスイッチケース５１にホーン用スイッチＳＷ１、方向指示器用スイッチＳＷ２、ライト用スイッチＳＷ３を設けたものであり、嵌合凸部５６を先端に有する延長部５７が一体に形成されている。該嵌合凸部５６は相互に対向する突条であり、グリップホルダー２０側の嵌合凹溝５８に着脱自在に嵌合することにより、着脱自在に連結される構成である。
【００２２】
図２の断面図に示すように、前記グリップ１は、グリップホルダー２０のグリップ取付穴２１内に嵌入自在な金属製のシャフト２と、該シャフト２に取り付けられた（一体的に設けられた）樹脂製グリップ本体部５と、該樹脂製グリップ本体部３を覆う皮革製カバー６とを有している。
【００２３】
前記シャフト２はグリップ取付穴２１にがたつき無く回転自在に嵌入するように円柱状に形成されており、先端部分は取付穴２１に嵌入しやすいようにテーパー２ａが形成されている。シャフト２を取付穴２１に嵌入した際に、取付穴２１内面に突出している前記グリップ係止手段２２の係止部２３と接する部分には、該係止部２３と係合させるように他の円柱部分よりも部分的に細くなった小径円柱状の係合部３が設けられている。
【００２４】
前記樹脂製グリップ本体部５はシャフト２の周囲に球状、より好ましくは扁平球状に一体に形成されている。
【００２５】
前記皮革製カバー６は、グリップ本体部５の上面と、下縁に至る側面の一部とを有する領域を覆う第１のカバー部６１と、第２のカバー部６２とを有し、それらを糸６３で縫い合わせた構成である。すなわち、図２中の拡大部分に示すように、各カバー部６１，６２の縁部端面６１ａ，６２ａ同士は、相互に突き合わせた状態で糸６３で縫い合わされており、当該糸６３は一方のカバー部６１を下から上に（厚み方向に）貫通した後、両カバー部の縁部端面６１ａ，６２ａの突き合わせ部分Ｓを上から下に通って他方のカバー部６２の下面に入り、カバー部６２を下から上に（厚み方向に）貫通している。次いで、糸６３はカバー部６２の上面を通って両カバー部の縁部端面６１ａ，６２ａの突き合わせ部分Ｓを通り、一方のカバー部６１を下から上に貫通して行き、以後同様の縫い方を繰り返していく（手縫い作業で行う）。逆に、一方のカバー部６１を上から下に（厚み方向に）貫通した後、両カバー部の縁部端面６１ａ，６２ａの突き合わせ部分Ｓを下から上に通って他方のカバー部６２の上面を通り、カバー部６２を上から下に（厚み方向に）貫通する縫い方でもよい。
【００２６】
前記第１のカバー部６１と、第２のカバー部６２の境界部分に形成される縫い目Ｔは、滑り止めを兼ねて扁平球状のグリップ本体部５の側面部の半周以上（図示の例では２７０°以上）にわたって形成されていることが望ましい。
【００２７】
ここで、グリップ１のグリップホルダー２０への着脱方法について説明する。グリップホルダー２０に装着されているグリップ１を取り外すには、スイッチユニット５０を外しておき、グリップ係止手段２２の押しボタン２４を押圧し、シャフト２の係合部３と係合していた係止部２３をグリップ取付穴２１内面から引き込んだ非係止状態とし、そのままグリップ１を上に持ち上げて抜き取ることで取付穴２１から取り外すことができる。グリップホルダー２０に装着するときは、グリップ１のシャフト２をグリップ取付穴２１に嵌入して押し込む。するとシャフト２のテーパー２ａで係止部２３が弾性力に抗して後退させられ、シャフト２は奥まで入り、シャフト側係合部３が係止部２３に対向する位置になると、係合部３と取付穴２１内面に突出する向きに弾性力で付勢されている係止部２３が係合して抜けなくなり装着される。
【００２８】
そして、運転時はスイッチユニット５０もグリップホルダー２０に取り付けておき、運転者は片手(例えば右ハンドル車の場合は右手)でグリップ１を握って回動させることで通常と同じハンドル操作を行なうことができ、同時にグリップ１を握っている側の指でグリップ１近傍に位置するホーン用スイッチＳＷ１、方向指示器用スイッチＳＷ２、ライト用スイッチＳＷ３を操作可能である。従って、残りの片手を用いてアクセル、ブレーキ操作を行うことができる。
【００２９】
なお、健常者が運転する場合には、スイッチユニット５０のスイッチケース５１に形成された嵌合凸部５６をグリップホルダー２０の嵌合凹溝５８から外して、グリップホルダー２０からスイッチユニット５０を離脱する。すると、グリップホルダー２０の内周側の面にグリップ１の係止解除のための押しボタン２４が現れるから、該押しボタン２４を押して係止部２３をグリップ取付穴２１内周面から引っ込んだ（非突出状態とした）状態に保ちながらグリップ１のシャフト２を引き抜く。この結果、ハンドル１１にはグリップホルダー２０のみが固着された状態となり、健常者の運転に何ら支障がないようにすることができる。
【００３０】
この実施の形態によれば、次の通りの効果を得ることができる。
【００３１】
(1)  身体障害者用ハンドル旋回装置のグリップ１は、ハンドル１１に取り付けられたグリップホルダー２０のグリップ取付穴２１に嵌入する金属製シャフト２と、該金属製シャフト２に一体に形成された樹脂製グリップ本体部５と、該樹脂製グリップ本体部５を覆う皮革製カバー６とを備えており、樹脂製グリップ本体部５が皮革製カバー６で覆われることにより、手で把持したときの当たりを柔らかくすることが可能で、長時間あるいは長期に使用しても手のひらや手指が痛くならないようにできる。また、また発汗による滑りを防止でき、安全性の向上を図ることができる。
【００３２】
(2)  皮革製カバー６は第１のカバー部６１と第２のカバー部６２とを有し、それらを縫い合わせた構成であり、縫い目Ｔから空気が逃げるため、グリップ本体部５にフィットとし、内部に空気が入って浮き上がることがなく、手で把持したときに皮革製カバー６がずれて動くことがない。
【００３３】
(3)  図２中の拡大部分に示すように、各カバー部６１，６２の縁部端面６１ａ，６２ａ同士は、相互に突き合わせた状態で糸６３で縫い合わされており、当該糸６３は一方のカバー部６１を厚み方向に貫通した後、両カバー部の縁部端面６１ａ，６２ａの突き合わせ部分Ｓを上から下に又は下から上に通って他方のカバー部６２を厚み方向に貫通している（手縫い作業で行う）。つまり、各カバー部６１，６２同士を重ね合わせて縫い合わせるのではないため、縫い目が大きく盛り上がることはなく、手にフィットする。
【００３４】
(4)  第１のカバー部６１と第２のカバー部６２との縫い目Ｔは、扁平球状のグリップ本体部５の側面部の半周以上にわたって形成されているため、手で握ったときの滑り止め効果がある。
【００３５】
なお、上記実施の形態では皮革製カバーは２つのカバー部６１，６２からなるが、３つ以上のカバー部を縫い合わせた構成としてもよい。
【００３６】
以上本考案の実施の形態について説明してきたが、本考案はこれに限定されることなく請求項の記載の範囲内において各種の変形、変更が可能なことは当業者には自明であろう。
【図面の簡単な説明】
【００３７】
【図１】本考案に係る身体障害者用ハンドル旋回装置のグリップの実施の形態であってグリップと共に身体障害者用ハンドル旋回装置の全体構成を示す斜視図である。
【図２】前記実施の形態の横断面図である。
【図３】前記実施の形態におけるグリップの背面側からみた斜視図である。
【符号の説明】
【００３８】
１  グリップ
２  シャフト
３  係合部
５  グリップ本体部
６  皮革製カバー
１１  ハンドル
２０  グリップホルダー
２１  グリップ取付穴
２２  旋回グリップ係止手段
２３  係止部
２４  押しボタン
２５  ばね
３０  バンド
５０  スイッチユニット
５６  嵌合凸部
５７  延長部
５８  嵌合凹溝
ＳＷ１  ホーン用スイッチ
ＳＷ２  方向指示器用スイッチ
ＳＷ３  ライト用スイッチ
【図１】
0003104162.tif 000003
【図２】
0003104162.tif 000004
【図３】
0003104162.tif 000005